(57)【特許請求の範囲】
【請求項１】
電源コンセントが設けられていると共に、入力端子と分配された信号を出力する複数の出力端子が設けられている筐体と、
前記入力端子から入力された信号を分配して前記複数の出力端子からそれぞれ出力する分配器の回路が組み込まれており、前記筐体に収納されている分配器基板と、
電源から侵入した雷サージに対する避雷回路が組み込まれており、前記筐体に収納されている避雷回路基板と、
前記入力端子のホット側と前記分配器基板のアースとの間に接続されている第１の２端子避雷素子と、
前記分配器基板のアースと前記避雷回路基板のアースとの間に接続されている第２の２端子避雷素子とを備え、
前記避雷回路基板における前記避雷回路は、２本の各電源ラインと前記避雷回路基板のアースとの間に接続されている第３の避雷素子を有しており、前記入力端子に侵入した雷サージが前記第１の２端子避雷素子および前記第２の２端子避雷素子から前記分配器基板のアースと前記避雷回路基板のアースを介して前記第３の避雷素子から電源へ流れることにより、前記入力端子に接続された電子機器に対して雷サージがバイパスされることを特徴とするタップ付き分配器。
【発明の詳細な説明】
【技術分野】
【０００１】
本発明は、雷サージ対策を施した電源コンセントのタップを備えるタップ付き分配器に関する。
【背景技術】
【０００２】
雷サージは屋外の柱上トランスや保安器などで、屋内への雷サージ侵入を防いでいるが、それでも雷サージの侵入が防げない場合がある。この場合、雷サージが電源線や通信回線を介して家屋内に侵入すると、家屋内に設置されている各種電子機器や家電機器が破壊される恐れがある。雷サージによる各種電子機器や家電機器の破壊を防止するには、各機器に雷サージ対策を施す必要がある。雷サージにより被害を受ける家電機器としては、テレビ受像器が多いことが知られている。従来提案されている、テレビ受像器を雷サージから保護することのできるタップ付き分配器１００の回路図を図８に示す。
図８に示すタップ付き分配器１００は、入力端子に入力されたテレビ信号を２分配して、２分配されたテレビ信号の一方をテレビ受像器に入力し、他方のテレビ信号をレコーダ等に入力する。そして、テレビ受像器に電源を供給する電源コンセントとレコーダ等に電源を供給する電源コンセントとを備えている。
【０００３】
図８に示すタップ付き分配器１００の構成を示す回路図において、ＩＮはテレビ信号が入力される入力端子であり、入力端子ＩＮにはテレビ信号が伝播される信号線が接続される。入力端子ＩＮに入力されたテレビ信号はコンデンサＣ１０３を介して２分配器ＤＩＶに入力されて２分配される。２分配されたテレビ信号の一方は、コンデンサＣ１０１を介して第１出力端子ＯＵＴ１から出力され、２分配されたテレビ信号の他方はコンデンサＣ１０２を介して第２出力端子ＯＵＴ２から出力される。第１出力端子ＯＵＴ１からのテレビ信号は、例えばテレビ受像器に供給され、第２出力端子ＯＵＴ２からのテレビ信号は、例えばレコーダに供給される。入力端子ＩＮのホット側は３端子アレスタＡｒｒの第１端子に接続され、入力端子ＩＮにおけるアースされているコールド側は３端子アレスタＡｒｒの第３端子に接続されている。また、この３端子アレスタの第２端子はチョークコイルＣＨ１０４の一端に接続され、チョークコイルＣＨ１０４の他端は電源側のアース端子にジャンパー線Ｊにより接続されている。
【０００４】
なお、第１出力端子ＯＵＴ１のホット側にはチョークコイルＣＨ１０１の一端が接続され、その他端はダイオードＤ１０１のアノードに接続されている。また、第２出力端子ＯＵＴ２のホット側にはチョークコイルＣＨ１０２の一端が接続され、その他端はダイオードＤ１０２のアノードに接続されている。そして、ダイオードＤ１０１とダイオードＤ１０２のカソードは互いに接続されて、チョークコイルＣＨ１０３の一端に接続され、その他端は入力端子ＩＮのホット側に接続されている。第１出力端子ＯＵＴ１および第２出力端子ＯＵＴ２のコールド側はアースされている。
電源側においては、電源プラグ１１０から商用交流が供給される２本の電源ライン間には、並列に第１電源コンセント１１１と第２電源コンセント１１２との２つが接続されている。例えば、第１電源コンセント１１１にはテレビ受像器の電源プラグが接続され、第２電源コンセント１１２にはレコーダの電源プラグが接続される。
【０００５】
また、電源プラグ１１０から商用交流が供給される２本の電源ラインの一方に電流ヒューズＦ１０１の一端が接続され、その他方に温度ヒューズＦ１０３の一端が接続されている。電流ヒューズＦ１０１の他端は温度ヒューズＦ１０２の一端に接続され、温度ヒューズＦ１０２の他端にはダイオードＤ１０３のアノードとバリスタＺＮＲ１０３の一端とコンデンサＣ１０４の一端とバリスタＺＮＲ１０１の一端とが接続されている。温度ヒューズＦ１０３の他端には抵抗Ｒ１０１の他端とバリスタＺＮＲ１０３の他端とコンデンサＣ１０４の他端とバリスタＺＮＲ１０２の一端が接続されている。ダイオードＤ１０３のカソードは発光ダイオードＬＥＤのアノードに接続され、発光ダイオードＬＥＤのカソードは抵抗Ｒ１０１の一端に接続されている。さらに、バリスタＺＮＲ１０１の他端とバリスタＺＮＲ１０２の他端は電源側のアースに接続されている。発光ダイオードＬＥＤは、電源プラグ１１０が電源コンセントに装着されてタップ付き分配器１００に商用電源が供給された際に点灯する。
【０００６】
このような回路とされたタップ付き分配器１００において、入力端子ＩＮに雷サージが侵入した時は、過電圧により導通したアレスタＡｒｒおよびチョークコイルＣＨ１０４、ジャンパー線Ｊを介して雷サージは電源側のアースに印加される。また、分配器側のアースに誘導された雷サージも過電圧により導通したアレスタＡｒｒおよびチョークコイルＣＨ１０４、ジャンパー線Ｊを介して電源側のアースに印加される。電源側では過電圧によりバリスタＺＮＲ１０１とバリスタＺＮＲ１０２が導通し、雷サージは温度ヒューズＦ１０２および電流ヒューズＦ１０１を介した電源ラインと、温度ヒューズＦ１０３を介した電源ラインとから商用電源側へ流れるようになる。なお、電源側のアースが大地にアースされている場合は雷サージは大地に流れるようになる。このように、入力端子ＩＮに侵入した雷サージは分配器側のアースから電源側のアースに流れ、電源ラインを介して電源プラグ１１０から商用電源側へバイパスされるようになる。これにより、第１出力端子ＯＵＴ１および第２出力端子ＯＵＴ２に接続されている電子機器や家電機器を雷サージから保護することができるようになる。
【０００７】
また、商用電源側から電源プラグ１１０を介して雷サージが侵入した場合は、過電圧により導通したバリスタＺＮＲ１０３により吸収されると共に、過電圧によりバリスタＺＮＲ１０１およびＺＮＲ１０２が導通して電源側のアースに流れるようになる。この場合、ジャンパー線Ｊを介して電源側のアースから分配器側のアースへ侵入した雷サージは、過電圧により導通した３端子アレスタＡｒｒを介して、入力端子ＩＮに接続されている通信線に流れていくようになる。このように、商用電源側から電源プラグ１１０を介して侵入した雷サージは、電源側のアースから分配器側のアースに流れ、入力端子ＩＮに接続されている通信線へバイパスされるようになる。これにより、第１電源コンセント１１１および第２電源コンセント１１２に接続されている電子機器や家電機器を雷サージから保護することができるようになる。
また、第１出力端子ＯＵＴ１から供給された衛星放送受信用アンテナへの直流電源は、チョークコイルＣＨ１０１、ダイオードＤ１０１およびチョークコイルＣＨ１０３を介して入力端子ＩＮから出力される。さらに、第２出力端子ＯＵＴ２から供給された衛星放送受信用アンテナへの直流電源は、チョークコイルＣＨ１０２、ダイオードＤ１０２およびチョークコイルＣＨ１０３を介して入力端子ＩＮから出力される。入力端子ＩＮから出力された直流電源は、入力端子ＩＮに接続されている通信線を介して衛星放送受信用アンテナに供給される。
【０００８】
また、従来のテレビ受像器を雷サージから保護することのできるタップ付きプロテクタ２００の回路図を図９に示す。
図９に示すタップ付きプロテクタ２００は、テレビ受像器に電源を供給する電源コンセントとレコーダ等に電源を供給する電源コンセントとを備えている。
図９に示すタップ付きプロテクタ２００の回路図において、ＩＮはテレビ信号が入力される入力端子であり、入力端子ＩＮにはテレビ信号が伝播される信号線が接続される。入力端子ＩＮに入力されたテレビ信号は、出力端子ＯＵＴから出力される。出力端子ＯＵＴからのテレビ信号は、例えばテレビ受像器に供給される。入力端子ＩＮおよび出力端子ＯＵＴのホット側は３端子アレスタＡｒｒの第１端子に接続され、３端子アレスタＡｒｒの第３端子は電源側のアースに接続されている。入力端子ＩＮおよび出力端子ＯＵＴにおけるコールド側はアースされている。
【０００９】
電源側においては、電源プラグ２１０から商用交流が供給される２本の電源ライン間には、第１電源コンセント２１１と第２電源コンセント２１２との２つのコンセントが並列に接続されている。例えば、第１電源コンセント２１１にはテレビ受像器の電源プラグが接続され、第２電源コンセント２１２にはレコーダの電源プラグが接続される。また、電源プラグ２１０から商用交流が供給される２本の電源ラインの一方に電流ヒューズＦ２０２の一端が接続され、その他方に温度ヒューズＦ２０３の一端が接続されている。電流ヒューズＦ２０２の他端は温度ヒューズＦ２０１の一端に接続され、温度ヒューズＦ２０１の他端にはダイオードＤ２０１のアノードとバリスタＺＮＲ２０３の一端とコンデンサＣ２０１の一端とバリスタＺＮＲ２０１の一端が接続されている。温度ヒューズＦ２０３の他端には抵抗Ｒ２０１の他端とバリスタＺＮＲ２０３の他端とコンデンサＣ２０１の他端とバリスタＺＮＲ２０２の一端が接続されている。ダイオードＤ２０１のカソードは発光ダイオードＬＥＤのアノードに接続され、発光ダイオードＬＥＤのカソードは抵抗Ｒ２０１の一端に接続されている。さらに、バリスタＺＮＲ２０１の他端とバリスタＺＮＲ２０２の他端は電源側のアースに接続されている。発光ダイオードＬＥＤは、電源プラグ２１０が電源コンセントに装着されてタップ付きプロテクタ２００に商用電源が供給された際に点灯する。
【００１０】
このような回路とされたタップ付きプロテクタ２００において、入力端子ＩＮあるいは出力端子ＯＵＴに雷サージが侵入した時は、過電圧により導通したアレスタＡｒｒを介して雷サージは電源側のアースに印加される。また、入力端子ＩＮおよび出力端子ＯＵＴ側のアースに誘導された雷サージも過電圧により導通したアレスタＡｒｒを介して電源側のアースに印加される。電源側では過電圧によりバリスタＺＮＲ２０１とバリスタＺＮＲ２０２が導通し、雷サージは温度ヒューズＦ２０１および電流ヒューズＦ２０２を介した電源ラインと、温度ヒューズＦ２０３を介した電源ラインから商用電源側へ流れるようになる。なお、電源側のアースが大地にアースされている場合は雷サージは大地に流れるようになる。このように、入力端子ＩＮに侵入した雷サージは分配器側のアースから電源側のアースに流れ、２本の電源ラインを介して電源プラグ２１０から商用電源側へバイパスされるようになる。これにより、第１出力端子ＯＵＴ１および第２出力端子ＯＵＴ２に接続されている電子機器や家電機器を雷サージから保護することができるようになる。
【００１１】
また、商用電源側から電源プラグ２１０を介して雷サージが侵入した場合は、過電圧により導通したバリスタＺＮＲ２０３により吸収されると共に、過電圧によりバリスタＺＮＲ２０１およびＺＮＲ２０２が導通して電源側のアースに流れるようになる。この場合、電源側のアースから入力端子ＩＮおよび出力端子ＯＵＴ側のアースへ侵入した雷サージは、過電圧により導通した３端子アレスタＡｒｒを介して、入力端子ＩＮに接続されている通信線に流れていくようになる。このように、商用電源側から電源プラグ２１０を介して侵入した雷サージは、電源側のアースから分配器側のアースに流れ、入力端子ＩＮに接続されている通信線へバイパスされるようになる。これにより、第１電源コンセント２１１および第２電源コンセント２１２に接続されている電子機器や家電機器を雷サージから保護することができるようになる。
【先行技術文献】
【特許文献】
【００１２】
【特許文献１】特開２０００−９２４１４号公報
【発明の概要】
【発明が解決しようとする課題】
【００１３】
従来のタップ付きプロテクタ２００やタップ付き分配器１００においては、電源ラインには避雷素子としてバリスタを３個を使用している。すなわち、電源ラインとアース間に対しバリスタを挿入すると共に、並列にバリスタを１個を設けている。通常時のバリスタは低い周波数で高インピーダンスとなり、高周波信号に対しては低インピーダンスになることから、電源ラインとアース間に挿入したバリスタにより電源ノイズがカットされ、並列に設けたバリスタにより高周波のノイズがＴＶ信号に混入することを防いでいる。なお、並列に設けたバリスタにコンデンサをさらに並列に接続することでノイズの混入をより防いでいる。
しかしながら、従来のタップ付きプロテクタ２００や従来提案されているタップ付き分配器１００において、３端子アレスタＡｒｒは３つの電極が絶縁されて対向しているため、３つの電極間に静電容量が生じている。このため、高周波信号に対する入力端子ＩＮのホット側と電源側のアースが低インピーダンスを呈するようになる。すると、電源ラインから混入した信号やノイズが入力端子や出力端子ＯＵＴ側に回り込んで、テレビ受像器等に対し混信障害を引き起こす要因となる。また、テレビ信号も電源ラインに回り込んで、ＴＶ信号を不要放射するようになり、他の電子機器に影響を及ぼす恐れがあるという問題点があった。
【００１４】
そこで、本発明は、電源ラインから混入した信号やノイズが出力端子から出力されることを防止できると共に、入力端子から入力された信号が不要放射されることを防止できるタップ付き分配器を提供することを目的としている。
【課題を解決するための手段】
【００１５】
本発明のタップ付き分配器は、電源コンセントが設けられていると共に、入力端子と分配された信号を出力する複数の出力端子が設けられている筐体と、前記入力端子から入力された信号を分配して前記複数の出力端子からそれぞれ出力する分配器の回路が組み込まれており、前記筐体に収納されている分配器基板と、電源から侵入した雷サージに対する避雷回路が組み込まれており、前記筐体に収納されている避雷回路基板と、前記入力端子のホット側と前記分配器基板のアースとの間に接続されている第１の２端子避雷素子と、前記分配器基板のアースと前記避雷回路基板のアースとの間に接続されている第２の２端子避雷素子とを備え、前記避雷回路基板における前記避雷回路は、２本の各電源ラインと前記避雷回路基板のアースとの間に接続されている第３の避雷素子を有しており、前記入力端子に侵入した雷サージが前記第１の２端子避雷素子および前記第２の２端子避雷素子から前記分配器基板のアースと前記避雷回路基板のアースを介して前記第３の避雷素子から電源へ流れることにより、前記入力端子に接続された電子機器に対して雷サージがバイパスされることを最も主要な特徴としている。
【発明の効果】
【００１６】
本発明によれば、避雷回路基板のアースとの間に接続されている第３の避雷素子により、電源ラインから混入した信号やノイズが減衰されるようになる。この場合、電源ラインから混入した信号やノイズが避雷回路基板のアースから分配器基板のアースに回り込もうとしても、第２の２端子避雷素子により減衰されるようになる。これにより、電源ラインから混入した信号やノイズが出力端子から出力されることを防止できると共に、入力端子から入力された信号が不要放射されることを防止できるようになる。
【図面の簡単な説明】
【００１７】
【図１】本発明の実施例にかかるタップ付き分配器の構成を示す正面図である。
【図２】本発明の実施例にかかるタップ付き分配器の構成を示す側面図である。
【図３】本発明の実施例にかかるタップ付き分配器の構成を示す背面図である。
【図４】本発明にかかるタップ付き分配器の筐体を開けた状態の構成を示す正面図である。
【図５】本発明にかかるタップ付き分配器の構成を示す回路図である。
【図６】本発明にかかるタップ付き分配器のイミュニティ特性を示す図表である。
【図７】本発明にかかるタップ付き分配器の不要輻射特性を示す図表である。
【図８】従来提案されているタップ付き分配器の構成を示す回路図である。
【図９】従来のタップ付きプロテクタの構成を示す回路図である。
【発明を実施するための形態】
【００１８】
本発明の実施例にかかるタップ付き分配器１の構成を図１ないし図３に示す。図１は本発明の実施例にかかるタップ付き分配器１の構成を示す正面図であり、図２は本発明の実施例にかかるタップ付き分配器１の構成を示す側面図であり、図３は本発明の実施例にかかるタップ付き分配器１の構成を示す背面図である。
これらの図に示す本発明の実施例にかかるタップ付き分配器１は、細長い形状に形成され横幅より厚みが薄くされた略長方形状とされた樹脂製の筐体１０を備えている。筐体１０は裏側筐体と表側筐体とに半截されており、両者は裏側筐体の背面から挿入したネジを表側筐体にねじ込むことにより一体とされている。筐体１０からは電源コード１４が導出されており、電源コード１４の先端に電源コンセントに差し込む電源プラグ１５が装着されている。筐体１０の正面には、同軸端子とされた第１出力端子ＯＵＴ１と第２出力端子ＯＵＴ２と入力端子ＩＮとが突出するよう設けられていると共に、第１電源コンセント１２と第２電源コンセント１３の２つの電源コンセントが設けられている。また、筐体１０には電源が供給されている際に点灯するパイロットランプＰＬが設けられている。さらに、筐体１０の一側面には大地アースのリード線を接続するアース端子１１が設けられている。
【００１９】
次に、本発明にかかるタップ付き分配器１において、表側筐体を裏側筐体から取り外した筐体１０における内部の構成を図４に示す。
図４に示すように、筐体１０内には分配器基板２０と避雷回路基板２１との２つの基板が収納されていると共に、第１電源コンセント１２および第２電源コンセント１３のコンセント金具２３が収納されている。筐体１０から導出されている電源コード１４の２本の電源ラインは、それぞれコンセント金具２３に接続されると共に、コンセント金具２３を介して避雷回路基板２１に接続されている。避雷回路基板２１のアースはアース端子１１に接続されると共に、ジャンパー線２２を介して分配器基板２０のアースに接続されている。
【００２０】
次に、本発明にかかるタップ付き分配器１の回路構成を示す回路図を図５に示す。図５に示す本発明にかかるタップ付き分配器１は、入力端子に入力されたテレビ信号を２分配して、２分配されたテレビ信号の一方がテレビ受像器に、他方のテレビ信号がレコーダ等に入力可能な２分配器と、テレビ受像器に電源を供給する電源コンセントとレコーダ等に電源を供給する電源コンセントとを備えている。
図５において、分配器回路３０は分配器基板２０に組み込まれた回路であり、避雷回路３１は避雷回路基板２１に組み込まれた回路である。図５に示す本発明にかかるタップ付き分配器１における分配器回路３０において、ＩＮはテレビ信号が入力される入力端子であり、入力端子ＩＮにはテレビ信号が伝播される同軸ケーブルが接続される。入力端子ＩＮに入力されたテレビ信号はコンデンサＣ１を介して２分配器を構成する第１トランスＴ１の一端に入力され、第１トランスＴ１の中点タップは第２トランスＴ２の中点タップに接続されている。第１トランスＴ１の他端はアースに接続されており、その中点タップに他端がアースに接続されたコンデンサＣ７の一端が接続されている。
【００２１】
そして、第２トランスＴ２の一端は直流阻止用のコンデンサＣ３の一端に接続されて、コンデンサＣ３の他端は第１出力端子ＯＵＴ１のホット側に接続され、第２トランスＴ２の他端は直流阻止用のコンデンサＣ４の一端に接続されて、コンデンサＣ４の他端は第２出力端子ＯＵＴ２のホット側に接続されている。これにより、入力端子ＩＮから入力されたテレビ信号が、２分配されて第１出力端子ＯＵＴ１および第２出力端子ＯＵＴ２から出力されるようになる。なお、第１出力端子ＯＵＴ１および第２出力端子ＯＵＴ２のコールド側は分配器基板２０のアースに接続されている。第１出力端子ＯＵＴ１からのテレビ信号は、例えばテレビ受像器に供給され、第２出力端子ＯＵＴ２からのテレビ信号は、例えばレコーダに供給される。
また、第１出力端子ＯＵＴ１のホット側にはチョークコイルＣＨ１の一端が接続され、その他端はダイオードＤ１のアノードに接続されている。また、第２出力端子ＯＵＴ２のホット側にはチョークコイルＣＨ３の一端が接続され、その他端はダイオードＤ２のアノードに接続されている。そして、ダイオードＤ１とダイオードＤ２のカソードは互いに接続されて、チョークコイルＣＨ２の一端に接続され、その他端は入力端子ＩＮのホット側に接続されている。チョークコイルＣＨ１とダイオードＤ１との接続点には一端がアースに接続されたコンデンサＣ５の他端が接続され、チョークコイルＣＨ３とダイオードＤ２との接続点には一端がアースに接続されたコンデンサＣ６の他端が接続されている。さらに、ダイオードＤ１，Ｄ２とチョークコイルＣＨ２との接続点には一端がアースに接続されたコンデンサＣ２の他端が接続されている。
【００２２】
入力端子ＩＮのホット側は第１の２端子アレスタＡｒｒ１の第１端子に接続され、入力端子ＩＮにおける分配器基板２０のアースに接続されているコールド側は第１の２端子アレスタＡｒｒ１の第２端子に接続されている。また、入力端子ＩＮのコールド側は第２の２端子アレスタＡｒｒ２の第１端子に接続され、第２の２端子アレスタＡｒｒ２の第２端子は避雷回路３１のアースにジャンパー線２２とされるジャンパー線Ｊを介して接続されている。
【００２３】
電源プラグ１５から商用交流が供給される２本の電源ライン間には、並列に第１電源コンセント１２と第２電源コンセント１３との２つが接続されている。例えば、第１電源コンセント１２にはテレビ受像器の電源プラグを、第２電源コンセント１３にはレコーダの電源プラグを接続することができる。
避雷回路３１においては、電源プラグ１５から商用交流が供給される２本の電源ラインの一方に電流ヒューズＦ１の一端が接続され、その他方に温度ヒューズＦ３の一端が接続されている。電流ヒューズＦ１の他端には温度ヒューズＦ２の一端が接続され、温度ヒューズＦ２の他端にはダイオードＤ３のアノードとバリスタＺＮＲ１の一端とコンデンサＣ８の一端とバリスタＺＮＲ２の一端が接続されている。さらに、温度ヒューズＦ３の他端には抵抗Ｒ１の他端とコンデンサＣ８の他端とバリスタＺＮＲ１の他端とバリスタＺＮＲ３の一端が接続されている。ダイオードＤ３のカソードは発光ダイオードＬＥＤのカソードに接続され、発光ダイオードＬＥＤのアノードは抵抗Ｒ１の一端に接続されている。さらに、バリスタＺＮＲ２の他端とバリスタＺＮＲ３の他端は避雷回路基板２１のアースに接続されている。発光ダイオードＬＥＤは、電源プラグ１５が電源コンセントに装着されてタップ付き分配器１に商用電源が供給された際に点灯するようになり、発光ダイオードＬＥＤがパイロットランプＰＬとされている。
【００２４】
このような回路とされたタップ付き分配器１の避雷回路３１においては、電源ラインと避雷回路基板２１のアース間に対しバリスタＺＮＲ２，ＺＮＲ３を挿入すると共に、並列にバリスタＺＮＲ１を設けている。通常時のバリスタのインピーダンスは低い周波数に対しては高インピーダンスとなり、高周波信号に対しては低インピーダンスになることから、電源ラインとアース間に挿入したバリスタＺＮＲ２，ＺＮＲ３により電源ノイズがカットされ、並列に設けたバリスタＺＮＲ１により高周波のノイズがＴＶ信号に混入することが防止される。なお、並列に設けたバリスタＺＮＲ１に並列に接続されたコンデンサＣ８により更にノイズの混入が防止されている。この場合、避雷回路３１における電源ラインから混入した信号やノイズがジャンパー線Ｊを介して分配器回路３０側に回り込もうとしても、直列に接続された第２の２端子アレスタＡｒｒ２で減衰して分配器基板２０のアースに流れる。このため、混入した信号やノイズが入力端子ＩＮや出力端子ＯＵＴ１，ＯＵＴ２に回り込むことはなく、出力端子ＯＵＴ１，ＯＵＴ２に接続されているテレビ受像器やレコーダ等に対し混信障害を引き起こすことを防止することができる。
なお、避雷回路基板２１のアースと分配器基板２０のアース間を第２の２端子アレスタＡｒｒ２を介して接続することにより、耐雷効果が向上すると共に、避雷回路３１において減衰しきれなかった妨害波やノイズが２端子アレスタＡｒｒ２で減衰するようになる。
【００２５】
また、本発明にかかるタップ付き分配器１において、入力端子ＩＮに雷サージが侵入した時は、第１の２端子アレスタＡｒｒ１が過電圧を受けて導通し、さらに、第２の２端子アレスタＡｒｒ２が過電圧を受けて導通する。これにより、ジャンパー線Ｊを介して雷サージは避雷回路３１に印加される。避雷回路３１では雷サージによりバリスタＺＮＲ２とバリスタＺＮＲ３が過電圧を受けて導通し、電流ヒューズＦ１，温度ヒューズＦ２，Ｆ３を介して電源ラインから商用電源側へ流れるようになる。なおアース端子１１が大地にアースされている場合は雷サージは大地に流れるようになる。このように、入力端子ＩＮに侵入した雷サージは分配器基板２０のアースから避雷回路基板２１のアースに流れ、タップ付き分配器１の電源プラグ１５を介して商用電源側へバイパスされるようになる。これにより、第１出力端子ＯＵＴ１および第２出力端子ＯＵＴ２に接続されている電子機器や家電機器を雷サージから保護することができるようになる。
【００２６】
また、商用電源側から電源プラグ１５を介して雷サージが侵入した場合は、過電圧を受けたバリスタＺＮＲ１により吸収されると共に、過電圧を受けたバリスタＺＮＲ２およびＺＮＲ３が導通する。すると、ジャンパー線Ｊを介して避雷回路基板２１のアースから分配器基板２０のアースへ雷サージが印加され、過電圧を受けた第２の２端子アレスタＡｒｒ２が導通する。これにより、雷サージは入力端子ＩＮに接続されている同軸ケーブルを介して流れていくようになる。このように、商用電源側から電源プラグ１５を介して侵入した雷サージは、避雷回路３１のアースから分配器回路３０のアースに流れ、タップ付き分配器１の入力端子ＩＮに接続されている同軸ケーブルへバイパスされるようになる。これにより、第１電源コンセント１２および第２電源コンセント１３に接続されている電子機器や家電機器を雷サージから保護することができるようになる。
【００２７】
また、第１出力端子ＯＵＴ１から供給された衛星放送受信用アンテナへの直流電源は、チョークコイルＣＨ１、ダイオードＤ１およびチョークコイルＣＨ２を介して入力端子ＩＮから出力される。さらに、第２出力端子ＯＵＴ２から供給された衛星放送受信用アンテナへの直流電源は、チョークコイルＣＨ３、ダイオードＤ２およびチョークコイルＣＨ２を介して入力端子ＩＮから出力される。入力端子ＩＮから出力された直流電源は、入力端子ＩＮに接続されている同軸ケーブルを介して衛星放送受信用アンテナに供給される。
【００２８】
次に、本発明にかかるタップ付き分配器１のイミュニティ特性を示す図表を図６に示す。イミュニティ特性は妨害波排除能力を示しており、イミュニティ特性の測定方法の概要を説明する。妨害波を放射する送信アンテナの送信電力をＰ［Ｗ］とし、送信アンテナからＬ［ｍ］の位置に供試器を配置する。送信アンテナからＬ［ｍ］離れた供試器における電界強度Ｅｏ［Ｖ／ｍ］は、
Ｅｏ［Ｖ／ｍ］＝７√（Ｐ［Ｗ］）／Ｌ［ｍ］      （１）
で表される。例えば、Ｐが０．０１［Ｗ］でＬが３［ｍ］の時は、（１）式からＥｏは約０．２３［Ｖ／ｍ］と求められる。この電界強度をデシベル値で表すと、
Ｅｏ［ｄＢμＶ／ｍ］＝２０ｌｏｇ（Ｅｏ［Ｖ／ｍ］×１０６）
＝２０ｌｏｇ（０．２３×１０６）≒１０７．２［ｄＢμＶ／ｍ］
となる。すなわち、供試器における妨害波の電界強度が約１０７．２［ｄＢμＶ／ｍ］となる。そして、供試器の出力端子にスペクトラムアナライザ等を接続して、出力端子から出力される妨害波のレベルを測定する。例えば、出力端子において測定した妨害波のレベルが３７．２ｄＢμであった場合は、イミュニティの値は１０７．２−３７．２＝７０ｄＢとなる。
【００２９】
図６に示すイミュニティ特性は上記のようにして測定され、「従来Ａ」は図８に示す回路構成のタップ付き分配器１００のイミュニティ特性であり、本発明にかかるタップ付き分配器１のイミュニティ特性と対比して示している。図６に示すイミュニティ特性は、送信アンテナから放射される妨害波の周波数を７９ＭＨｚ、４５０ＭＨｚ、７５０ＭＨｚとして妨害波を送信する送信アンテナから３ｍ離れた位置に供試器を配置した時の３ｍイミュニティ特性とされ、測定値欄の左半分は水平偏波の送信アンテナから供試器へ放射した場合であり、測定値欄の右半分は垂直偏波の送信アンテナから供試器へ放射した場合である。
【００３０】
図６を参照すると、本発明にかかるタップ付き分配器１のイミュニティ特性は、従来のタップ付き分配器１００のイミュニティ特性と比較して、７９ＭＨｚの測定周波数において表面、裏面、側面に水平偏波の妨害波を照射した場合は、約３０ｄＢないし約４０ｄＢものイミュニティ特性が向上されている。また、同周波数において垂直偏波の妨害波を照射した場合は、約２０ｄＢないし約２５ｄＢくらいのイミュニティ特性が向上されている。さらに、４５０ＭＨｚの測定周波数において表面、裏面、側面に水平偏波の妨害波を照射した場合の本発明にかかるタップ付き分配器１のイミュニティ特性は、約１７ｄＢないし約１７．５ｄＢくらいのイミュニティ特性が向上されている。また、同周波数において垂直偏波の妨害波を照射した場合は、約１６．５ｄＢないし約２０ｄＢくらいのイミュニティ特性が向上されている。さらに、７５０ＭＨｚの測定周波数において表面、裏面、側面に水平偏波の妨害波を照射した場合の本発明にかかるタップ付き分配器１のイミュニティ特性は、約２０ｄＢないし約２７ｄＢくらいのイミュニティ特性が向上されている。また、同周波数において垂直偏波の妨害波を照射した場合は、約１２ｄＢないし約２０ｄＢくらいのイミュニティ特性が向上されている。
このように、本発明にかかるタップ付き分配器１のイミュニティ特性は、従来のタップ付き分配器１００のイミュニティ特性より、少なくとも約１２ｄＢ以上で平均的に約２２ｄＢものイミュニティ特性が向上されていることが分かる。
【００３１】
次に、本発明にかかるタップ付き分配器１の不要放射特性を示す図表を図７に示す。図７において「従来Ａ」は図８に示す回路構成のタップ付き分配器１００であり、本発明にかかるタップ付き分配器１のイミュニティ特性と対比して示している。図７に示す不要放射特性においては、７９ＭＨｚ、４５０ＭＨｚ、７５０ＭＨｚの測定周波数を約８０ｄＢμＶの入力レベルで供試器の入力端子ＩＮに入力した際に、供試器から３ｍ離れた外部位置の受信アンテナで受信された不要輻射の受信レベルとされている。測定値欄の左半分は水平偏波の受信アンテナで受信した場合であり、測定値欄の右半分は垂直偏波の受信アンテナで受信した場合である。
【００３２】
図７を参照すると、本発明にかかるタップ付き分配器１の不要放射特性は、従来のタップ付き分配器１００の不要放射特性と比較して、７９ＭＨｚの測定周波数において表面、裏面、側面から外部への不要放射の水平偏波成分は、約３．３ｄＢないし約１９ｄＢくらい低減されている。また、同周波数において不要放射の垂直偏波成分は、約１０ｄＢないし約１６．４ｄＢくらい低減されている。さらに、４５０ＭＨｚの測定周波数における本発明にかかるタップ付き分配器１の表面、裏面、側面から外部への不要放射の水平偏波成分は、約９ｄＢないし約２０ｄＢくらい低減されている。また、同周波数において不要放射の垂直偏波成分は、約１３ｄＢないし約２１ｄＢくらい低減されている。さらに、７５０ＭＨｚの測定周波数における本発明にかかるタップ付き分配器１の表面、裏面、側面から外部への不要放射の水平偏波成分は、約１８ｄＢないし約２３．６ｄＢくらい低減されている。また、同周波数において不要放射の垂直偏波成分は、約１３ｄＢないし約１５ｄＢくらい低減されている。
このように、本発明にかかるタップ付き分配器１は従来のタップ付き分配器１００の不要放射特性より、少なくとも約３．３ｄＢ以上で平均的に約１５ｄＢもの不要放射特性が良好になっていることが分かる。
【産業上の利用可能性】
【００３３】
以上説明した本発明にかかるタップ付き分配器は、電源コンセントと分配信号の出力端子および入力端子が縦型の筐体の表面に縦方向に並べて配置されていることから、コンパクトなタップ付き分配器とすることができる。また、アース端子は大地にアースしても良いが、アースしていなくとも雷サージから保護することができる。
【符号の説明】
【００３４】
１  タップ付き分配器、１０  筐体、１１  アース端子、１２  電源コンセント、１３  電源コンセント、１４  電源コード、１５  電源プラグ、２０  分配器基板、２１  避雷回路基板、２２  ジャンパー線、２３  コンセント金具、３０  分配器回路、３１  避雷回路、１００  タップ付き分配器、１１０  電源プラグ、１１１  電源コンセント、１１２  電源コンセント、２００  タップ付きプロテクタ、２１０  電源プラグ、２１１  電源コンセント、２１２  電源コンセント、Ａｒｒ  アレスタ、Ａｒｒ１  第１の２端子アレスタ、Ａｒｒ２  第２の２端子アレスタ、ＤＩＶ  分配器、Ｆ１  ヒューズ、Ｆ２，Ｆ３  温度ヒューズ、Ｆ１０１，Ｆ２０２  ヒューズ、Ｆ１０２，Ｆ２０１，Ｆ２０３  温度ヒューズ、ＩＮ  入力端子、Ｊ  ジャンパー線、ＯＵＴ１  第１出力端子、ＯＵＴ２  第２出力端子、ＺＮＲ１，ＺＮＲ２，ＺＮＲ３  バリスタ、Ａｒｒ  ３端子アレスタ、ＺＮＲ１０１，ＺＮＲ１０２，ＺＮＲ１０３  バリスタ、ＺＮＲ２０１，ＺＮＲ２０２，ＺＮＲ２０３  バリスタ
【図１】
0005558263.tif 000002
【図２】
0005558263.tif 000003
【図３】
0005558263.tif 000004
【図４】
0005558263.tif 000005
【図５】
0005558263.tif 000006
【図６】
0005558263.tif 000007
【図７】
0005558263.tif 000008
【図８】
0005558263.tif 000009
【図９】
0005558263.tif 000010